(57)【要約】【課題】折り畳み可能な電子装置を提供する。【解決手段】本折り畳み可能な電子装置は、折り畳み可能なケースと柔軟な表示装置とを備える。該柔軟な表示装置は該折り畳み可能なケース内に配置され、弾性部材を介して該折り畳み可能なケースに接続され、該弾性部材は、該柔軟な表示装置に該折り畳み可能なケースと一緒に開かれたり畳まれたりする時、伸張柔軟性を提供する。これにより該柔軟な表示装置を本折り畳み可能な電子装置の表示画面として使用できる。【選択図】図１Ｂ
0003164599.tif 000002
【実用新案登録請求の範囲】
【請求項１】
開かれたり畳まれたり出来る折り畳み可能なケースと、
該折り畳み可能なケース上に配置され、該折り畳み可能なケースと一緒に開かれたり畳まれたり出来る柔軟な表示装置と、
該折り畳み可能なケースと該柔軟な表示装置とを接続して、開かれたり畳まれたりする時、該柔軟な表示装置に伸張柔軟性を提供するための１つ以上の弾性部材と
を備える折り畳み可能な電子装置。
【請求項２】
前記折り畳み可能なケースの両端と前記柔軟な表示装置とを接続して、開かれたり畳まれたりする時、該柔軟な表示装置に伸張柔軟性を提供するための２つの前記弾性部材を備える請求項１に記載の折り畳み可能な電子装置。
【請求項３】
前記折り畳み可能なケースは２つ以上のケース本体を有し、該ケース本体は互いに回動し、互いに対して開かれたり畳まれたり出来、該ケース本体が互いに対して開かれた時、受容領域が形成され、前記柔軟な表示装置は該受容領域上に配置される請求項１に記載の折り畳み可能な電子装置。
【請求項４】
前記折り畳み可能なケースは３つの前記ケース本体を有し、該３つのケース本体は互いに回動し、互いに対して開かれたり畳まれたり出来、該３つのケース本体が互いに対して開かれた時、これにより前記受容領域が形成され、前記柔軟な表示装置は該受容領域上に配置される請求項３に記載の折り畳み可能な電子装置。
【考案の詳細な説明】
【技術分野】
【０００１】
本考案は、折り畳み可能な電子装置に関し、特に、柔軟な表示装置を表示画面として有する折り畳み可能な電子装置に関する。
【背景技術】
【０００２】
近年、技術と情報の急速な発展に伴って、電子製品の製造技術も次第に向上している。
携帯性と実用性を追求して、軽く、薄く、短く、そして小さい電子製品が開発されている。例えば、初期の大きな体積で大きな重量の陰極線管（ＣＲＴ）表示装置から軽量で肉薄の液晶表示（ＬＣＤ）装置まで様々な画面が開発されてきた。また、携帯に便利なように電子製品の小型化を追求して、表示装置のサイズは小さくなっている。しかし、通常の表示装置は携帯時の便利さと使用時の快適さを同時には実現できない。即ち、画面が小さくなり容易に運ぶことが出来ると、それに応じて画面の面積は減少し、画面フレームの内容が減り、眺めるユーザにとって不便である。この問題を解決するために、折り畳み可能な電子画面が開発されている。即ち、複数の小さいサイズの表示装置を結合して大きなサイズの画面を作る。しかし、表示装置間に接合部が存在し、その結果、フレーム品質が低下する。
【０００３】
従って、電子ペーパー、有機発光ダイオード（ＯＬＥＤ）表示装置等の柔軟な表示装置が開発され、市場で入手可能である。しかし、現在、体積を低減するために電子装置に適用される柔軟な表示装置はロールの形態である。ロールの形態の柔軟な表示装置は、複数の小さいサイズの表示装置を結合して大きなサイズの画面を作ることによるフレーム品質の低下という不都合を解消できる。しかし、この柔軟な表示装置は巻かれる時、最小曲げ曲率要件を有し、過度に小さな曲率によって該柔軟な表示装置は折り目ができ、再び広げた時に正常に表示できない。従って、該柔軟な表示装置は過度に小さく巻くことは出来ない。該柔軟な表示装置を折り畳み可能な電子製品に適用する場合、その最小曲げ曲率要件のために、該柔軟な表示装置は、該最小曲げ曲率より大きな半径を有するシャフトの周りに曲げられる。柔軟な表示装置はシャフトの周りに曲げられる時、両端でケースにより伸ばされ、この伸張の影響によって該柔軟な表示装置は裂け損傷する問題が発生する。従って、従来の構成は問題を解決できず、該柔軟な表示装置を現在の折り畳み可能な電子製品に使用できない。
【考案の概要】
【考案が解決しようとする課題】
【０００４】
本考案の目的は、柔軟な表示装置を従来の折り畳み可能な電子装置に適用した場合の折り目と裂け目の発生の問題を解決できる折り畳み可能な電子装置を提供することにある。
【課題を解決するための手段】
【０００５】
本考案は、折り畳み可能なケースと柔軟な表示装置と１つ以上の弾性部材とを備える折り畳み可能な電子装置を提供する。該折り畳み可能なケースは開かれたり畳まれたり出来、該柔軟な表示装置は該折り畳み可能なケース内に配置され、該折り畳み可能なケースと一緒に開かれたり畳まれたり出来る。また、該弾性部材は該折り畳み可能なケースと該柔軟な表示装置とを接続して、開かれたり畳まれたりする時、該柔軟な表示装置に伸張柔軟性を提供する。
【０００６】
前記折り畳み可能な電子装置は２つの前記弾性部材を備え、該２つの弾性部材は前記折り畳み可能なケースの両端と前記柔軟な表示装置とを接続して、開かれたり畳まれたりする時、該柔軟な表示装置に伸張柔軟性を提供する。
【０００７】
本考案の折り畳み可能な電子装置では、前記折り畳み可能なケースは２つ以上のケース本体を有し、該２つのケース本体は互いに回動し、互いに対して開かれたり畳まれたり出来る。該２つのケース本体が互いに対して開かれた時、これにより受容領域が形成され、前記柔軟な表示装置は該受容領域上に配置される。
【０００８】
本考案に係る折り畳み可能な電子装置では、前記折り畳み可能なケースは３つの前記ケース本体を有し、該３つのケース本体は互いに回動し、互いに対して開かれたり畳まれたり出来る。該３つのケース本体が互いに対して開かれた時、これにより前記受容領域が形成され、前記柔軟な表示装置は該受容領域上に配置される。
【考案の効果】
【０００９】
本考案に係る折り畳み可能な電子装置では、柔軟な表示装置は折り畳み可能なケースと一緒に開かれたり畳まれたり出来る。しかし、畳まれた状態では、折り畳み可能なケースは伸張応力を該柔軟な表示装置に加え、それにより該表示装置は伸ばされる。この折り畳み可能な電子装置では、弾性部材が柔軟な表示装置と折り畳み可能なケースとを接続するために配置され、開かれたり畳まれたりする時、該表示装置に伸張柔軟性を提供する。即ち、柔軟な表示装置は弾性部材の作用により伸張性を有することが可能となり、折り畳み可能なケースの応力により引っ張られ、裂けたり損傷したりする危険を回避できる。従って、本考案は前述した問題を解決し、柔軟な表示装置を折り畳み可能な電子装置に適用できるようにして、折り畳まれた時、最小の体積を有し、開かれた時、最大の表示画面を有するという効果を達成する。
【００１０】
本考案のこれら及び他の特徴は下記の好適な実施形態の説明と添付の図面から明らかとなるであろう。しかし、本開示の新規な着想の思想と範囲から逸脱することなく変形及び変更が可能である。
添付の図面は本考案の１つ以上の実施形態を例示し、下記の説明と共に本考案の原理を説明する。全図面を通して同じ符号は同じ又は同様の要素を示すために使用される。
【図面の簡単な説明】
【００１１】
【図１Ａ】本考案の実施形態に係る折り畳み可能な電子装置の概略図である。
【図１Ｂ】本考案の実施形態に係る折り畳み可能な電子装置の概略構造図である。
【図２Ａ】図１の折り畳み可能な電子装置の断面図である。
【図２Ｂ】第２ケース本体に対して９０度曲げられた図２Ａの第１ケース本体の側面図である。
【図２Ｃ】第２ケース本体に対して１８０度曲げられた図２Ａの第１ケース本体の側面図である。
【図３】本考案の別の実施形態に係る折り畳み可能な電子装置の概略構造図である。
【図４】本考案の更に別の実施形態に係る折り畳み可能な電子装置の概略構造図である。
【図５Ａ】図４の折り畳み可能な電子装置の断面図である。
【図５Ｂ】第２ケース本体に対して折り畳まれた図５Ａの第１ケース本体の概略図である。
【図５Ｃ】第１ケース本体に対して折り畳まれた図５Ｂの第３ケース本体の概略図である。
【図６】本考案の別の実施形態に係る折り畳み可能な電子装置の概略構造図である。
【考案を実施するための形態】
【００１２】
図１Ａは本考案の実施形態に係る折り畳み可能な電子装置の概略図である。図１Ｂは本考案の実施形態に係る折り畳み可能な電子装置の概略構造図である。
図１Ａ及び図１Ｂを参照すると、折り畳み可能な電子装置１００は折り畳み可能なケース１１０と、柔軟な表示装置１２０と、３つの弾性部材１３０とを備える。
折り畳み可能なケース１１０は第１ケース本体１１２と、第２ケース本体１１４と、２つの第１枢軸１１３とを備える。
第１枢軸１１３は第１ケース本体１１２と第２ケース本体１１４とを互いに対して開かれたり畳まれたり出来るよう接続する。
また、第１ケース本体１１２と第２ケース本体１１４とを互いに対して開いた時、それにより受容領域１１８が形成される。
また、柔軟な表示装置１２０は受容領域１１８上に配置され、矩形の板の形状を有するが、これに限定されない。
柔軟な表示装置１２０は第１縁１２１と、第１縁１２１と反対側の第２縁１２２と、第３縁１２３と、第３縁１２３と反対側の第４縁１２４とを有する。
第１縁１２１は第１ケース本体１１２に接続され、第２縁１２２は３つの弾性部材１３０に接続されている。
第３縁１２３と第４縁１２４はそれぞれ第１枢軸１１３に隣接しているが、第１ケース本体１１２にも第２ケース本体１１４にも接続されていない。
従って、柔軟な表示装置１２０の第１縁１２１だけが折り畳み可能なケース１１０内で束縛されている。
第２縁１２２は弾性部材１３０に束縛されているが、弾性部材１３０は弾力性があるので、第２縁１２２は相対的に動くことが出来る。即ち、柔軟な表示装置１２０は受容領域１１８上に浮いた状態で配置されている。
また、柔軟な表示装置１２０は、第１縁１２１、第２縁１２２、第３縁１２３、及び第４縁１２４に囲われた表示面１２５を更に有する。
表示面１２５はその背面が折り畳み可能なケース１１０に面した状態で配置され、第１枢軸１１３に当接している。
柔軟な表示装置１２０は折り畳み可能なケース１１０と一緒に開かれたり畳まれたりが可能である。
また、弾性部材１３０の一方の端は柔軟な表示装置１２０の第２縁１２２に接続され、他方の端は第２ケース本体１１４に固定されている。
開かれたり畳まれたりする時、弾性部材１３０は柔軟な表示装置１２０に伸張柔軟性を提供する。
【００１３】
柔軟な表示装置１２０は第１枢軸１１３の周りに曲げられ、第１枢軸１１３は軸半径を有するので、軸半径の周りに曲げられると、柔軟な表示装置１２０は折り畳み可能なケース１１０により伸ばされる。
この時、弾性部材１３０はある量の伸張を提供し、柔軟な表示装置１２０が伸張によって裂けるのを防ぐ。
弾性部材１３０の伸張長変化を下記に詳細に説明する。
図２Ａは図１の折り畳み可能な電子装置の断面図であり、図２Ｂは第２ケース本体に対して９０度曲げられた図２Ａの第１ケース本体の側面図であり、図２Ｃは第２ケース本体に対して１８０度曲げられた図２Ａの第１ケース本体の側面図である。
柔軟な表示装置１２０の表示面１２５は第１枢軸１１３に当接し、第１縁１２１だけが第１ケース本体１１２に固定され、第２縁１２２は弾性部材１３０の一方の端に接続されている。
弾性部材１３０の他方の端は第２ケース本体１１４に固定されている。従って、柔軟な表示装置１２０の両側の縁（第１縁１２１と第２縁１２２）だけが束縛されている。
ここで、弾性部材１３０は初期長さＬを有し、第１枢軸１１３は軸半径長さＲを有する。
【００１４】
第１ケース本体１１２は第２ケース本体１１４に対して反時計回りの円運動を行い、図２Ｂに示すように、第１枢軸１１３の軸を円の中心として９０度回転する。
この時、柔軟な表示装置１２０の第１縁１２１は第１ケース本体１１２に固定され、柔軟な表示装置１２０は第１枢軸１１３に当接しているので、柔軟な表示装置１２０は第１ケース本体１１２により駆動されて曲がり第１枢軸１１３に対してスライドする。
第１ケース本体１１２が９０度回転する時、柔軟な表示装置１２０の第１枢軸１１３に対するスライド量は第１枢軸１１３の円周の４分の１、即ち、２πＲ／４であり、第２縁１２２が第１枢軸１１３の方へ距離２πＲ／４だけ移動するよう駆動される。
弾性部材１３０は第２縁１２２により伸張され、第１折り畳み長さＬ１に伸びる。第１折り畳み長さＬ１と該初期長さＬとの関係は下記の式で表わされる。
Ｌ１＝Ｌ＋２πＲ／４＝Ｌ＋πＲ／２
【００１５】
また、第１ケース本体１１２は第２ケース本体１１４に対して反時計回りの円運動を行い、図２Ｃに示すように、第１枢軸１１３の軸を円の中心として１８０度回転する。
この時、柔軟な表示装置１２０の第１縁１２１は第１ケース本体１１２に固定され、柔軟な表示装置１２０は第１枢軸１１３に当接しているので、柔軟な表示装置１２０は第１ケース本体１１２により駆動されて曲がり第１枢軸１１３に対してスライドする。
第１ケース本体１１２が１８０度回転する時、柔軟な表示装置１２０の第１枢軸１１３に対するスライド量は第１枢軸１１３の円周の半分、即ち、２πＲ／２であり、第２縁１２２が距離２πＲ／２だけ移動するよう駆動される。弾性部材１３０は第２縁１２２により伸張され、第２折り畳み長さＬ２に伸びる。第２折り畳み長さＬ２と該初期長さＬとの関係は下記の式で表わされる。
Ｌ２＝Ｌ＋２πＲ／２＝Ｌ＋πＲ
【００１６】
第１枢軸１１３の軸半径が大きいほど、曲げられた時の柔軟な表示装置１２０の第１枢軸１１３に対するスライド量も大きいことが上記の式から分かる。弾性部材１３０が配置されていない場合、柔軟な表示装置１２０は伸張され変形し、裂けさえする。
本考案の折り畳み可能な電子装置１００では、開かれたり畳まれたりする時、弾性部材１３０が柔軟な表示装置１２０に伸張柔軟性を提供するので、表示装置１２０を曲げた時、伸張及び変形、或いは亀裂は発生しない。
【００１７】
図３は本考案の別の実施形態に係る折り畳み可能な電子装置の概略構造図である。
この実施形態の構造は図１の実施形態の構造とほぼ同じであるので、両者の違いだけを説明する。
折り畳み可能な電子装置１００は折り畳み可能なケース１１０と、柔軟な表示装置１２０と、６つの弾性部材１３０とを備える。
折り畳み可能なケース１１０は第１ケース本体１１２と、第２ケース本体１１４と、２つの第１枢軸１１３とを備える。
柔軟な表示装置１２０は第１縁１２１と、第１縁１２１と反対側の第２縁１２２と、第３縁１２３と、第３縁１２３と反対側の第４縁１２４とを有する。
第１縁１２１と第２縁１２２はそれぞれ３つの弾性部材１３０に接続されている。
第１縁１２１に接続された弾性部材１３０は第１ケース本体１１２に固定され、第２縁１２２に接続された弾性部材１３０は第２ケース本体１１４に固定されている。
開かれたり畳まれたりする時、弾性部材１３０は柔軟な表示装置１２０に伸張柔軟性を提供する。
【００１８】
図４は本考案の更に別の実施形態に係る折り畳み可能な電子装置の概略構造図である。
この実施形態の構造は図１の実施形態の構造とほぼ同じであるので、両者の違いだけを説明する。
折り畳み可能な電子装置１００は折り畳み可能なケース１１０と、柔軟な表示装置１２０と、３つの弾性部材１３０とを備える。折り畳み可能なケース１１０は第１ケース本体１１２と、第２ケース本体１１４と、第３ケース本体１１６と、２つの第１枢軸１１３と、２つの第２枢軸１１５とを備える。
第１枢軸１１３は第１ケース本体１１２と第２ケース本体１１４とを互いに対して開かれたり畳まれたり出来るよう接続する。
第２枢軸１１５は第２ケース本体１１４と第３ケース本体１１６とを互いに対して開かれたり畳まれたり出来るよう接続する。
また、第１ケース本体１１２と第２ケース本体１１４と第３ケース本体１１６とを互いに対して開いた時、受容領域１１８が形成される。
また、柔軟な表示装置１２０は受容領域１１８上に配置される。表示装置１２０の第１縁１２１は第１ケース本体１１２に接続され、第２縁１２２は３つの弾性部材１３０に接続されている。弾性部材１３０の一方の端は表示装置１２０の第２縁１２２に接続され、他方の端は第３ケース本体１１６に固定されている。
開かれたり畳まれたりする時、弾性部材１３０は表示装置１２０に伸張柔軟性を提供する。
【００１９】
図５Ａは図４の折り畳み可能な電子装置の断面図であり、図５Ｂは第２ケース本体に対して折り畳まれた図５Ａの第１ケース本体の概略図であり、図５Ｃは第１ケース本体に対して折り畳まれた図５Ｂの第３ケース本体の概略図である。
本考案では、図４の実施形態は２重折り畳み可能な電子装置であり、次のように折り畳まれる。
第１ケース本体１１２は第２ケース本体１１４に対して反時計回りに１８０度回転して、図５Ｂに示すように第１ケース本体１１２は第２ケース本体１１４上に重ねられる。この時、柔軟な表示装置１２０は曲げられ第１枢軸１１３に対してスライドする。次に、第３ケース本体１１６は第２ケース本体１１４に対して時計回りに１８０度回転して、図５Ｃに示すように第１ケース本体１１２上に重ねられる。この時、柔軟な表示装置１２０は曲げられ第２枢軸１１５に対してスライドする。上記２回の折り曲げ時、弾性部材１３０は表示装置１２０に伸張柔軟性を提供する。
【００２０】
図６は本考案の別の実施形態に係る折り畳み可能な電子装置の概略構造図である。
この実施形態の構造は図１の実施形態及び図４の実施形態の構造とほぼ同じであるので、違いだけを説明する。
折り畳み可能な電子装置１００は折り畳み可能なケース１１０と、柔軟な表示装置１２０と、６つの弾性部材１３０とを備える。
折り畳み可能なケース１１０は第１ケース本体１１２と、第２ケース本体１１４と、第３ケース本体１１６と、２つの第１枢軸１１３と、２つの第２枢軸１１５とを備える。第１枢軸１１３は第１ケース本体１１２と第２ケース本体１１４とを互いに対して開かれたり畳まれたり出来るよう接続する。
第２枢軸１１５は第２ケース本体１１４と第３ケース本体１１６とを互いに対して開かれたり畳まれたり出来るよう接続する。
また、第１ケース本体１１２と第２ケース本体１１４と第３ケース本体１１６とを互いに対して開いた時、受容領域１１８が形成される。
また、柔軟な表示装置１２０は受容領域１１８上に配置される。表示装置１２０の第１縁１２１と第２縁１２２とはそれぞれ３つの弾性部材１３０に接続されている。
また、第１縁１２１に接続された弾性部材１３０は第１ケース本体１１２に固定され、第２縁１２２に接続された弾性部材１３０は第３ケース本体１１６に固定されている。開かれたり畳まれたりする時、弾性部材１３０は表示装置１２０に伸張柔軟性を提供する。
【００２１】
本考案の折り畳み可能な電子装置によれば、柔軟な表示装置は折り畳み可能なケースと一緒に開かれたり畳まれたり出来る。
しかし、畳まれた状態では、折り畳み可能なケースは伸張応力を該柔軟な表示装置に加え、それにより該表示装置は伸ばされる。
通常の柔軟な表示装置は伸張柔軟性を有していないので、本考案の折り畳み可能な電子装置では、弾性部材が柔軟な表示装置と折り畳み可能なケースとを接続するために配置され、開かれたり畳まれたりする時、該表示装置に伸張柔軟性を提供する。
即ち、柔軟な表示装置は弾性部材の作用により伸張性を有することが可能となり、折り畳み可能なケースの応力により引っ張られ、裂けたり損傷したりする危険を回避できる。
従って、本考案は前述した問題を解決し、柔軟な表示装置を折り畳み可能な電子装置に適用できるようにして、折り畳まれた時、最小の体積を有し、開かれた時、最大の表示画面を有するという効果を達成する。
【符号の説明】
【００２２】
１００・・・・折り畳み可能な電子装置
１１０・・・・折り畳み可能なケース
１１２・・・・第１ケース本体
１１３・・・・第１枢軸
１１４・・・・第２ケース本体
１２０・・・・柔軟な表示装置
１３０・・・・弾性部材
【図１Ａ】
0003164599.tif 000003
【図１Ｂ】
0003164599.tif 000004
【図２Ａ】
0003164599.tif 000005
【図２Ｂ】
0003164599.tif 000006
【図２Ｃ】
0003164599.tif 000007
【図３】
0003164599.tif 000008
【図４】
0003164599.tif 000009
【図５Ａ】
0003164599.tif 000010
【図５Ｂ】
0003164599.tif 000011
【図５Ｃ】
0003164599.tif 000012
【図６】
0003164599.tif 000013